【手続補正書】
【提出日】平成23年11月1日(2011.11.1)
【手続補正１】
【補正対象書類名】特許請求の範囲
【補正対象項目名】全文
【補正方法】変更
【補正の内容】
【特許請求の範囲】
【請求項１】
眼の状態を処置するための医薬の製造における、動電学的に変化させられた水性流体組成物の使用であって、該組成物は、電荷安定化された酸素を含有するナノ構造のイオン性水性溶液を含み、該ナノ構造は、主として、該流体組成物による被験体の眼の接触の際に眼の状態を処置するのに十分な該イオン性水性流体において持続する１００ナノメートル未満の平均直径を有する、使用。
【請求項２】
酸素が、大気圧にて、少なくとも１０ｐｐｍ、少なくとも１４ｐｐｍ、少なくとも１５ｐｐｍ、少なくとも２５ｐｐｍ、少なくとも３０ｐｐｍ、少なくとも４０ｐｐｍ、少なくとも５０ｐｐｍ、または少なくとも６０ｐｐｍの酸素の量で存在する、請求項１に記載の使用。
【請求項３】
前記電荷安定化された酸素を含有するナノ構造の量が、大気圧にて、少なくとも１４ｐｐｍ、少なくとも１５ｐｐｍ、少なくとも２０ｐｐｍ、少なくとも２５ｐｐｍ、少なくとも３０ｐｐｍ、少なくとも４０ｐｐｍ、少なくとも５０ｐｐｍ、または少なくとも６０ｐｐｍである、請求項１および２のいずれか１項に記載の使用。
【請求項４】
前記動電学的に変化させられた水性流体組成物中に存在する酸素の少なくとも９０％が、前記電荷安定化された酸素を含有するナノ構造中にある、請求項１〜３のいずれか１項に記載の使用。
【請求項５】
前記組成物が、酸素分子によって安定化された溶媒和電子、および、動電学的に変化させられたか、もしくは、荷電された酸素種のうち少なくとも１つを含む、請求項１〜４のいずれか１項に記載の使用。
【請求項６】
前記電荷安定化された酸素を含有するナノ構造が、ナノケージ、ナノクラスタおよびナノ気泡のうち少なくとも１つを含む、請求項１〜５のいずれか１項に記載の使用。
【請求項７】
生理食塩水または酸素富化された生理食塩水を含む、請求項１〜６のいずれか１項に記載の使用。
【請求項８】
前記動電学的に変化させられた水性流体組成物がコンタクトレンズ溶液を含む、請求項１〜７のいずれか１項に記載の使用。
【請求項９】
前記コンタクトレンズ溶液が複数回使用用のコンタクトレンズ溶液を含む、請求項８に記載の使用。
【請求項１０】
前記コンタクトレンズ溶液が保存液、湿潤溶液および洗浄液のうち少なくとも１つを含む、請求項８に記載の使用。
【請求項１１】
前記酸素化水性流体は、シュードモナス細菌の増殖を阻害する、請求項１〜１０のいずれか１項に記載の使用。
【請求項１２】
前記状態は、ドライアイ、角膜刺激、細菌感染、アレルギー性の刺激、および細胞の損傷からなる群より選択される、請求項１〜１１のいずれか１項に記載の使用。
【請求項１３】
前記状態は、傷の結果である、請求項１２に記載の使用。
【請求項１４】
前記傷は、裂傷、擦り傷、破れ、刺し傷、化学、熱、または放射線に起因するやけど、切り傷、引っかき傷、切開、水膨れ、潰瘍および外科創傷からなる群より選択される、請求項１３に記載の使用。
【請求項１５】
前記外科創傷は、レーザー角膜切開術、白内障除去、レンズの移植または取り出し、角膜の変質、レーザー支援角膜切削形成術（ＬＡＳＩＫ）、イントラＬＡＳＩＫ、嚢外外科手術、水晶体超音波吸引術、硝子体網膜外科手術、緑内障処置、神経眼科外科手術、斜視外科手術、およびこれらの任意の組合せからなる群より選択される外科手術の結果である、請求項１４に記載の使用。
【請求項１６】
前記動電学的に変化させられた水性流体組成物が、さらに抗菌剤、抗炎症剤、疼痛緩和剤、麻酔薬、ビタミン、サイトカイン、アジュバント、保存料、塩、およびこれらの任意の組み合わせからなる群より選択される治療剤を含む、請求項１〜１５のいずれか１項に記載の使用。
【請求項１７】
コンタクトレンズの形成における動電学的に変化させられた水性流体組成物の使用であって、該コンタクトレンズの形成は、ポリマー性化合物と、動電学的に変化させられた水性流体組成物からレンズを形成するステップを含み、該組成物は、電荷安定化された酸素を含有するナノ構造のイオン性水性溶液を含み、該ナノ構造は、主として、該コンタクトレンズの形成を促進するのに十分な該イオン性水性流体において持続する１００ナノメートル未満の平均直径を有する、使用。
【請求項１８】
前記コンタクトレンズを形成するステップは、スピンキャスティングプロセス、キャストモールディングプロセスおよび旋盤切断プロセスのうち少なくとも１つにより行われる、請求項１７に記載の使用。
【請求項１９】
酸素が、大気圧にて、少なくとも１０ｐｐｍ、少なくとも１４ｐｐｍ、少なくとも１５ｐｐｍ、少なくとも２５ｐｐｍ、少なくとも３０ｐｐｍ、少なくとも４０ｐｐｍ、少なくとも５０ｐｐｍ、または少なくとも６０ｐｐｍの酸素の量で存在する、請求項１７および１８のいずれか１項に記載の使用。
【請求項２０】
前記電荷安定化された酸素を含有するナノ構造の量が、大気圧にて、少なくとも１４ｐｐｍ、少なくとも１５ｐｐｍ、少なくとも２０ｐｐｍ、少なくとも２５ｐｐｍ、少なくとも３０ｐｐｍ、少なくとも４０ｐｐｍ、少なくとも５０ｐｐｍ、または少なくとも６０ｐｐｍである、請求項１７〜１９のいずれか１項に記載の使用。
【請求項２１】
前記動電学的に変化させられた水性流体組成物中に存在する酸素の少なくとも９０％が、前記電荷安定化された酸素を含有するナノ構造中にある、請求項１７〜２０のいずれか１項に記載の使用。
【請求項２２】
前記組成物が、酸素分子によって安定化された溶媒和電子、および、動電学的に変化させられたか、もしくは、荷電された酸素種、のうち少なくとも１つを含む、請求項１７〜２１のいずれか１項に記載の使用。
【請求項２３】
前記電荷安定化された酸素を含有するナノ構造が、ナノケージ、ナノクラスタおよびナノ気泡のうち少なくとも１つを含む、請求項１７〜２２のいずれか１項に記載の使用。
【請求項２４】
眼の状態を処置するための、動電学的に変化させられた水性流体組成物の使用であって、該組成物は、電荷安定化された酸素を含有するナノ構造のイオン性水性溶液を含み、該ナノ構造は、主として、該流体組成物による被験体の眼の接触の際に眼の状態を処置するのに十分な量の該イオン性水性流体において持続する１００ナノメートル未満の平均直径を有する、組成物。
【請求項２５】
酸素が、大気圧にて、少なくとも１０ｐｐｍ、少なくとも１４ｐｐｍ、少なくとも１５ｐｐｍ、少なくとも２５ｐｐｍ、少なくとも３０ｐｐｍ、少なくとも４０ｐｐｍ、少なくとも５０ｐｐｍ、または少なくとも６０ｐｐｍの酸素の量で存在する、請求項２４に記載の組成物。
【請求項２６】
前記電荷安定化された酸素を含有するナノ構造の量が、大気圧にて、少なくとも１４ｐｐｍ、少なくとも１５ｐｐｍ、少なくとも２０ｐｐｍ、少なくとも２５ｐｐｍ、少なくとも３０ｐｐｍ、少なくとも４０ｐｐｍ、少なくとも５０ｐｐｍ、または少なくとも６０ｐｐｍである、請求項２４および２５のいずれか１項に記載の組成物。
【請求項２７】
前記動電学的に変化させられた水性流体組成物中に存在する酸素の少なくとも９０％が、前記電荷安定化された酸素を含有するナノ構造中にある、請求項２４〜２６のいずれか１項に記載の組成物。
【請求項２８】
前記組成物が、酸素分子によって安定化された溶媒和電子、および、動電学的に変化させられたか、もしくは、荷電された酸素種のうち少なくとも１つを含む、請求項２４〜２７のいずれか１項に記載の組成物。
【請求項２９】
前記電荷安定化された酸素を含有するナノ構造が、ナノケージ、ナノクラスタおよびナノ気泡のうち少なくとも１つを含む、請求項２４〜２８のいずれか１項に記載の組成物。
【請求項３０】
生理食塩水または酸素富化された生理食塩水を含む、請求項２４〜２９のいずれか１項に記載の組成物。
【請求項３１】
前記動電学的に変化させられた水性流体組成物がコンタクトレンズ溶液を含む、請求項２４〜３０のいずれか１項に記載の組成物。
【請求項３２】
前記コンタクトレンズ溶液が複数回使用用のコンタクトレンズ溶液を含む、請求項３１に記載の組成物。
【請求項３３】
前記コンタクトレンズ溶液が保存液、湿潤溶液および洗浄液のうち少なくとも１つを含む、請求項３１に記載の組成物。
【請求項３４】
前記酸素化水性流体は、シュードモナス細菌の増殖を阻害する、請求項２４〜３３のいずれか１項に記載の組成物。
【請求項３５】
前記状態は、ドライアイ、角膜刺激、細菌感染、アレルギー性の刺激、および細胞の損傷からなる群より選択される、請求項２４〜３４のいずれか１項に記載の組成物。
【請求項３６】
前記状態は、傷の結果である、請求項３５に記載の組成物。
【請求項３７】
前記傷は、裂傷、擦り傷、破れ、刺し傷、化学、熱、または放射線に起因するやけど、切り傷、引っかき傷、切開、水膨れ、潰瘍および外科創傷からなる群より選択される、請求項３６に記載の組成物。
【請求項３８】
前記外科創傷は、レーザー角膜切開術、白内障除去、レンズの移植または取り出し、角膜の変質、レーザー支援角膜切削形成術（ＬＡＳＩＫ）、イントラＬＡＳＩＫ、嚢外外科手術、水晶体超音波吸引術、硝子体網膜外科手術、緑内障処置、神経眼科外科手術、斜視外科手術、およびこれらの任意の組合せからなる群より選択される外科手術の結果である、請求項３７に記載の組成物。
【請求項３９】
前記動電学的に変化させられた水性流体組成物が、さらに抗菌剤、抗炎症剤、疼痛緩和剤、麻酔薬、ビタミン、サイトカイン、アジュバント、保存料、塩、およびこれらの任意の組み合わせからなる群より選択される治療剤を含む、請求項２４〜３８のいずれか１項に記載の組成物。
【請求項４０】
コンタクトレンズの形成において使用するための動電学的に変化させられた水性流体組成物であって、該組成物は、電荷安定化された酸素を含有するナノ構造のイオン性水性溶液を含み、該ナノ構造は、主として、該コンタクトレンズの形成を促進するのに十分な量の該イオン性水性流体において持続する１００ナノメートル未満の平均直径を有する、組成物。
【請求項４１】
前記コンタクトレンズの形成が、スピンキャスティングプロセス、キャストモールディングプロセスおよび旋盤切断プロセスのうち少なくとも１つにより行われる、請求項４０に記載の組成物。
【請求項４２】
酸素が、大気圧にて、少なくとも１０ｐｐｍ、少なくとも１４ｐｐｍ、少なくとも１５ｐｐｍ、少なくとも２５ｐｐｍ、少なくとも３０ｐｐｍ、少なくとも４０ｐｐｍ、少なくとも５０ｐｐｍ、または少なくとも６０ｐｐｍの酸素の量で存在する、請求項４０および４１のいずれか１項に記載の組成物。
【請求項４３】
前記電荷安定化された酸素を含有するナノ構造の量が、大気圧にて、少なくとも１４ｐｐｍ、少なくとも１５ｐｐｍ、少なくとも２０ｐｐｍ、少なくとも２５ｐｐｍ、少なくとも３０ｐｐｍ、少なくとも４０ｐｐｍ、少なくとも５０ｐｐｍ、または少なくとも６０ｐｐｍである、請求項４０〜４２のいずれか１項に記載の組成物。
【請求項４４】
前記動電学的に変化させられた水性流体組成物中に存在する酸素の少なくとも９０％が、前記電荷安定化された酸素を含有するナノ構造中にある、請求項４０〜４３のいずれか１項に記載の組成物。
【請求項４５】
酸素分子によって安定化された溶媒和電子、および、動電学的に変化させられたか、もしくは、荷電された酸素種、のうち少なくとも１つを含む、請求項４０〜４４のいずれか１項に記載の組成物。
【請求項４６】
前記電荷安定化された酸素を含有するナノ構造が、ナノケージ、ナノクラスタおよびナノ気泡のうち少なくとも１つを含む、請求項４０〜４５のいずれか１項に記載の組成物。